【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
画像を撮像する撮像部と、
音声を入力する音声入力部と、
上記撮像部によって撮像して得た画像データを、複数の加工処理の中から処理したい加工処理を選択する画像加工処理選択部と、
上記音声入力部によって入力した音声データを、複数の音声処理の中から音声処理を選択する音声処理選択部と、
上記画像加工処理選択部による選択結果に応じて、上記音声処理選択部による音声処理の選択を指示する音声処理指示部と、
上記音声処理指示部によって指示された音声処理によって処理された音声データを、上記画像データに関連付けして出力する音声処理部と、
を具備することを特徴とする音声処理装置。
【請求項２】
さらに、上記指示された音声処理を表示する音声処理表示部を有することを特徴とする請求項１に記載の音声処理装置。
【請求項３】
上記選択された音声処理に応じて、推奨する音声処理を決定することを特徴とする請求項１に記載の音声処理装置。
【請求項４】
推奨できない音声処理を非選択とすることを特徴とする請求項３に記載の音声処理装置。
【請求項５】
さらに、入力された上記音声データに対して合成するための音データを記憶する合成音記憶部を有し、上記音声処理部は、上記合成音記憶部に記憶された合成音を、上記指示に応じて音声処理を行うことを特徴とする請求項１に記載の音声処理装置。
【請求項６】
上記音声処理部は、入力された音声データのフィルタ処理を行うフィルタ処理部を含み、上記合成音は入力された音声データに関わらない効果音からなることを特徴とする請求項５に記載の音声処理装置。
【請求項７】
さらに、撮影モード選択部を有し、上記音声処理部は、上記撮影モード選択部によって選択された撮影モードに応じて音声処理を選択することを特徴とする請求項１に記載の音声処理装置。
【請求項８】
画像を撮像する撮像部と、
音声を入力する音声入力部と、
上記撮像部によって撮像して得た画像データを、複数の加工処理の中から処理したい加工処理を選択する画像加工処理選択部と、
上記音声入力部によって入力した音声データを、複数の音声処理の中から音声処理を選択する音声処理選択部と、
上記画像加工処理選択部による選択結果に応じて、上記音声処理選択部による音声処理の選択を指示する音声処理指示部と、
記録または再生する画像加工処理と音声処理の組み合わせを選択し、この選択された画像加工処理で加工された画像データと音声処理された音声データを関連付けて出力するように制御する制御部と、
を具備することを特徴とする音声処理装置。
【請求項９】
画像を撮像する撮像ステップと、
音声を入力する音声入力ステップと、
上記撮像ステップによって撮像して得た画像データを、複数の加工処理の中から処理したい加工処理を選択する画像加工処理選択ステップと、
上記音声入力ステップにおいて入力した音声データを、複数の音声処理の中から音声処理を選択する音声処理選択ステップと、
上記画像加工処理選択ステップによる選択結果に応じて、上記音声処理選択ステップによる音声処理の選択を指示する音声処理指示ステップと、
上記音声処理指示ステップにおいて指示された音声処理によって処理された音声データを、上記画像データに関連付けして出力する音声処理ステップと、
を具備することを特徴とする音声処理方法。
【請求項１０】
画像を撮像する撮像ステップと、
音声を入力する音声入力ステップと、
上記撮像ステップによって撮像して得た画像データを、複数の加工処理の中から処理したい加工処理を選択する画像加工処理選択ステップと、
上記音声入力ステップにおいて入力した音声データを、複数の音声処理の中から音声処理を選択する音声処理選択ステップと、
上記画像加工処理選択ステップによる選択結果に応じて、上記音声処理選択ステップによる音声処理の選択を指示する音声処理指示ステップと、
上記音声処理指示ステップにおいて指示された音声処理によって処理された音声データを、上記画像データに関連付けして出力する音声処理ステップと、
をコンピュータに実行させることを特徴とするプログラム。
【手続補正２】
【補正対象書類名】明細書
【補正対象項目名】発明の名称
【補正方法】変更
【補正の内容】
【発明の名称】音声処理装置、音声処理方法、およびプログラム
【手続補正３】
【補正対象書類名】明細書
【補正対象項目名】０００１
【補正方法】変更
【補正の内容】
【０００１】
本発明は、音声処理装置に関し、詳しくは、画像データの加工に応じて音声データの加工処理を行う音声処理装置、音声処理方法、およびプログラムに関する。
【手続補正４】
【補正対象書類名】明細書
【補正対象項目名】０００５
【補正方法】変更
【補正の内容】
【０００５】
本発明は、このような事情を鑑みてなされたものであり、画像を記録すると共に周囲音を録音し、画像に処理を施す場合に、鑑賞時の情緒性や娯楽性を損なうことのない音声処理装置、音声処理方法、およびプログラムを提供することを目的とする。
【手続補正５】
【補正対象書類名】明細書
【補正対象項目名】０００６
【補正方法】変更
【補正の内容】
【０００６】
上記目的を達成するため第１の発明に係わる音声処理装置は、画像を撮像する撮像部と、音声を入力する音声入力部と、上記撮像部によって撮像して得た画像データを、複数の加工処理の中から処理したい加工処理を選択する画像加工処理選択部と、上記音声入力部によって入力した音声データを、複数の音声処理の中から音声処理を選択する音声処理選択部と、上記画像加工処理選択部による選択結果に応じて、上記音声処理選択部による音声処理の選択を指示する音声処理指示部と、上記音声処理指示部によって指示された音声処理によって処理された音声データを、上記画像データに関連付けして出力する音声処理部と、を具備する。
【手続補正６】
【補正対象書類名】明細書
【補正対象項目名】０００８
【補正方法】変更
【補正の内容】
【０００８】
第５の発明に係わる音声処理装置は、上記第１の発明において、さらに、入力された上記音声データに対して合成するための音データを記憶する合成音記憶部を有し、上記音声処理部は、上記合成音記憶部に記憶された合成音を、上記指示に応じて音声処理を行う。
第６の発明に係わる音声処理装置は、上記第５の発明において、上記音声処理部は、入力された音声データのフィルタ処理を行うフィルタ処理部を含み、上記合成音は入力された音声データに関わらない効果音からなる。
【手続補正７】
【補正対象書類名】明細書
【補正対象項目名】０００９
【補正方法】変更
【補正の内容】
【０００９】
第７の発明に係わる音声処理装置は、上記第１の発明において、さらに、撮影モード選択部を有し、上記音声処理部は、上記撮影モード選択部によって選択された撮影モードに応じて音声処理を選択する。
第８の発明に係わる音声処理装置は、画像を撮像する撮像部と、音声を入力する音声入力部と、上記撮像部によって撮像して得た画像データを、複数の加工処理の中から処理したい加工処理を選択する画像加工処理選択部と、上記音声入力部によって入力した音声データを、複数の音声処理の中から音声処理を選択する音声処理選択部と、上記画像加工処理選択部による選択結果に応じて、上記音声処理選択部による音声処理の選択を指示する音声処理指示部と、記録または再生する画像加工処理と音声処理の組み合わせを選択し、この選択された画像加工処理で加工された画像データと音声処理された音声データを関連付けて出力するように制御する制御部と、を具備する。
第９の発明に係わる音声処理方法は、画像を撮像する撮像ステップと、音声を入力する音声入力ステップと、上記撮像ステップによって撮像して得た画像データを、複数の加工処理の中から処理したい加工処理を選択する画像加工処理選択ステップと、上記音声入力ステップにおいて入力した音声データを、複数の音声処理の中から音声処理を選択する音声処理選択ステップと、上記画像加工処理選択ステップによる選択結果に応じて、上記音声処理選択ステップによる音声処理の選択を指示する音声処理指示ステップと、上記音声処理指示ステップにおいて指示された音声処理によって処理された音声データを、上記画像データに関連付けして出力する音声処理ステップと、を具備する。
第１０の発明に係わるプログラムは、画像を撮像する撮像ステップと、音声を入力する音声入力ステップと、上記撮像ステップによって撮像して得た画像データを、複数の加工処理の中から処理したい加工処理を選択する画像加工処理選択ステップと、上記音声入力ステップにおいて入力した音声データを、複数の音声処理の中から音声処理を選択する音声処理選択ステップと、上記画像加工処理選択ステップによる選択結果に応じて、上記音声処理選択ステップによる音声処理の選択を指示する音声処理指示ステップと、上記音声処理指示ステップにおいて指示された音声処理によって処理された音声データを、上記画像データに関連付けして出力する音声処理ステップと、をコンピュータに実行させる。
【手続補正８】
【補正対象書類名】明細書
【補正対象項目名】００１０
【補正方法】変更
【補正の内容】
【００１０】
本発明によれば、画像を記録すると共に周囲音を録音し、画像に処理を施す場合に、鑑賞時の情緒性や娯楽性を損なうことのない音声処理装置、音声処理方法、およびプログラムを提供することができる。